(57)【要約】【課題】  表示ユニットを大型化したとしても、装置全体を大型化することなく、かつ十分な強度を有する構造を備えた電子機器を提供することこと。【解決手段】  画像を表示する表示ユニットと、前記表示ユニットの背面を支持するシャーシ部材と、前記表示ユニットの前記シャーシ部材に支持されない領域を支持する当接部が形成される外装部材とを有する。【選択図】  図６
2011033988.tif 000002
【特許請求の範囲】
【請求項１】
画像を表示する表示ユニットと、
前記表示ユニットの背面を支持するシャーシ部材と、
前記表示ユニットの前記シャーシ部材に支持されない領域を支持する当接部が形成される外装部材とを有することを特徴とする電子機器。
【請求項２】
前記外装部材は操作部材が設けられ、前記電子機器の上面を覆う上面カバーであることを特徴とする請求項１に記載の電子機器。
【請求項３】
前記上面カバーと係合するとともに、前記電子機器の背面を覆う後カバーを有し、前記表示ユニットの前記シャーシ部材に支持されない領域を、前記後カバーと前記上面カバーとの間に配置することを特徴とする請求項２に記載の電子機器。
【請求項４】
前記上面カバーは板金部材が固定されるものであって、少なくとも前記上面カバーの前記表示ユニット側では、前記板金部材の端部と前記上面カバーに形成した爪とが係合することで、前記板金部材を前記上面カバーに固定することを特徴する請求項２または３に記載の電子機器。
【請求項５】
前記上面カバーと前記後カバーとが係合した状態で、前記表示ユニットを前記後カバーと前記上面カバーとの間に配置するものであって、前記上面カバーに固定される前記板金部材の端面と前記後カバーとの間隙が前記当接部と前記後カバーとの間隙よりも大きくなるように、前記板金部材を前記上面カバーに固定することを特徴とする請求項４に記載の電子機器。
【発明の詳細な説明】
【技術分野】
【０００１】
本発明は電子機器に関し、特に画像を表示するための表示ユニットを備える電子機器に関する。
【背景技術】
【０００２】
デジタルカメラは筐体の背面に画像を表示する表示ユニットとしてＬＣＤを有し、この表示ユニットによって、撮影時に被写体を確認すること、記録した画像を再生することができる。このようなデジタルカメラでは通常、表示ユニットがメインシャーシに固定され、レリーズボタンやズームレバーが設けられる上カバーがメインシャーシの表示ユニットが固定される部分よりも上方に固定されている。（特許文献１参照）
【先行技術文献】
【特許文献】
【０００３】
【特許文献１】特開２００８−２０３６３２号公報
【発明の概要】
【発明が解決しようとする課題】
【０００４】
表示ユニットは大きいほど視認性が良くユーザーにとって使い易いものとなる。しかし、デジタルカメラは携帯することが一般的であるため、小型で軽量であることが望まれる。そこで近年、表示ユニットの大型化とデジタルカメラの小型・軽量化を両立させることが必要となってきている。
【０００５】
本発明は、表示ユニットを大型化したとしても、装置全体を大型化することなく、かつ十分な強度を有する構造を備えた電子機器を提供することを目的とする。
【課題を解決するための手段】
【０００６】
上記目的を達成するために、本発明の電子機器は、画像を表示する表示ユニットと、前記表示ユニットの背面を支持するシャーシ部材と、前記表示ユニットの前記シャーシ部材に支持されない領域を支持する当接部が形成される外装部材とを有することを特徴とする。
【発明の効果】
【０００７】
表示ユニットを大型化したとしても、機器本体を大型化することなく、かつ十分な強度を有する構造を備えた電子機器を提供することができる。
【図面の簡単な説明】
【０００８】
【図１】電子機器としてのデジタルカメラの外観を示す斜視図である。
【図２】デジタルカメラのカバーユニットの構成を示す斜視図である。
【図３】上面カバーの構造を説明する図である。
【図４】内部構造ユニットを説明する図面である。
【図５】内部構造ユニットをカバーユニットに組み付ける様子を説明する図である。
【図６】カバーユニットに組み込まれた内部構造ユニットの断面図である。
【発明を実施するための形態】
【０００９】
図１は本発明の電子機器としてのデジタルカメラを背面から見た図である。図１において、デジタルカメラ本体１０の上面には、電源ボタン２０、レリーズボタン２１、ズームレバー２２が配置されている。また、デジタルカメラ本体１０の背面には、モードレバー２４、ＵＳＢ端子２６およびＨＤＭＩ端子２７が配置されている。
【００１０】
図２は図１に示したデジタルカメラ本体１のカバーユニット３０を分解した状態を図示している。デジタルカメラ本体１の背面および側面は後カバー３１、中帯カバー３２、上面カバー３３により構成されている。デジタルカメラ本体１の背面を覆う外装部材である後カバー３１はステンレスで形成されている。後カバー３１の内側に補強用の後カバーインナー３１ａ、３１ｂ、３１ｃがそれぞれスポット溶接で固定されている。デジタルカメラ本体１の側面を覆う外装部材である中帯カバー３２はステンレスで形成されている。そして、中帯カバー３２の内側に中帯カバーインナー３２ａがスポット溶接で固定されている。
【００１１】
後カバーインナー３１ａには複数の爪部３１ｄが形成されており、中帯カバーインナー３２ａには複数の穴部３２ｂが形成されている。そして、後カバーインナー３１ａの複数の爪部３１ｄが中帯カバーインナー３２ａの複数の穴部３２ｂに係合することで、後カバー３１と中帯カバー３２は固定される。さらに、後カバーインナー３１ｂには爪部３１ｅが形成されており、上面カバー３３に形成された穴部３３ａに係合する。また、後カバーインナー３１ｃに設けられた穴部３１ｆは上面カバー３３に設けられた不図示の爪部に係合する。さらに後カバーインナー３１ｂに形成されたネジ穴部３１ｇと上面カバー３３に設けられた穴部３３ｂがビス３５により固定される。このように、後カバー３１、中帯カバー３２、上面カバー３３は結合される。
【００１２】
図３（ａ）〜（ｃ）は、上面カバー３３の構造を説明する図である。図３（ａ）〜（ｃ）において、上面カバー３３には操作部材である電源ボタン２０、レリーズボタン２１、ズームレバー２２が設けられる。トップフレキシブル配線板５０にはスピーカー５１、電源ボタンスイッチ５２、ズームスイッチ５３、レリーズスイッチ５４、ＨＤＭＩ端子２７が実装されている。電源ボタンスイッチ５２は電源ボタン２０の押下に対応して信号を出力するスイッチである。ズームスイッチ５３はズームレバー２２の操作に対応して信号を出力するスイッチである。レリーズスイッチ５４はレリーズボタン２１の押下に対応して信号を出力するスイッチである。トップフレキシブル配線板５０は上面カバー３３と板金部材５６の間に配置されている。板金部材５６の前面側はビス５７で上面カバー３３に固定され、板金部材５６の背面側は上面カバー３３に設けられた爪部３３ｃにより上面カバー３３に固定されている。なお、上面カバー３３には表示ユニット２３の裏面と当接する当接部３３ｄが形成されている。
【００１３】
図４（ａ）、（ｂ）は、デジタルカメラ本体１の内部構造ユニット３４について説明する図面である。シャーシ部材６０はデジタルカメラ内部で鏡筒ユニットおよびメイン基板７０などの構造物を支持する。表示ユニット２３は背面がシャーシ部材６０に接するように、シャーシ部材６０に支持される。そして、シャーシ部材６０に支持された表示ユニット２３の一辺を保護する補強部材６１がシャーシ部材６０に対して取り付けられる。表示ユニット２３からはＬＣＤフレキシブル配線板６２が延出されている。ＬＣＤフレキシブル配線板６２は表示ユニット２３に画像を表示するための配線パターンが配され、シャーシ部材６０に支持されるメイン基板７０に実装されているコネクタ７１に接続されている。図４（ｂ）に図示されるように、ＬＣＤフレキシブル配線板６２をメイン基板７０に実装されているコネクタ７１に接続するために、シャーシ部材６０の一部が切り欠かれているので、表示ユニット２３の裏面の領域２３ａはシャーシ部材６０に支持されない。
【００１４】
図５は、図４にて説明したデジタルカメラ本体１の内部構造ユニット３４を、後カバー３１、中帯カバー３２、上面カバー３３から構成されているカバーユニット３０に組み付ける様子を説明する図である。内部構造ユニット３４はカバーユニット３０に対して図中の矢印Ａ方向つまり前面側から上面側に向かって斜めに組み込む。図６はこのようにしてカバーユニット３０に組み込まれた内部構造ユニット３４の断面図である。このように内部構造ユニット３４斜めに組み込むことで、シャーシ部材６０に支持されない表示ユニット２３の裏面の領域２３ａを後カバー３１と上面カバー３３との間に形成される空間に滑り込ませることができる。このように組み立てられることで、図６に図示されているように、上面カバー３３に形成される当接部３３ｄがシャーシ部材６０に支持されない表示ユニット２３の裏面の領域２３ａに当接して、表示ユニット２３を支持している。したがって、シャーシ部材６０の一部を切り欠いたとしても、上面カバー３３が表示ユニット２３の裏面を支持するので、表示ユニット２３の裏面の支持面がなくなることがない。また、このように構成することで、上面カバー３３を表示ユニット２３の裏面に配置することができ、デジタルカメラを高さ方向に小型化することができる。
【００１５】
このように、上面カバー３３に板金部材５６を固定する際に、上面カバー３３の表示ユニット側ではビスによる固定をせず、爪部３３ｃと板金部材５６の端部との係合によって固定している。したがって、上面カバー３３の表示ユニット側に表示ユニット２３の裏面を支持するためのスペースを作り出すことができる。さらに、スピーカー５３は音が漏れないように上面カバー３３との間で弾性体をオーバーチャージさせている。このため、板金部材５６を上面カバー３３に固定する際に、図３（ｂ）の矢印Ｂ方向に反力が働くが、板金部材５６の表示ユニット側が爪部３３ｃで上面カバー３３に仮固定されるので、ビスを締める際の組み立て性が向上する。
【００１６】
カバーユニット３０に対して構造ユニット３４を斜めから組むために図６の矢印Ｄ部、つまりトップフレキシブル配線板５０と板金部材５６で形成される端面が、表示ユニット２３の背面と当接する当接部３３ｄよりも前面側に位置している。もし、矢印Ｄで示されるトップフレキシブル配線板５０と板金部材５６で形成される端面が、表示ユニット２３の背面と当接する当接部３３ｄと同じ位置であると、内部構造ユニット３４をカバーユニット３０に組み込みにくくなる。そして、内部構造ユニット３４をカバーユニット３０に組み込む際に、内部構造ユニット３４でトップフレキシブル配線板５０を破損してしまうことや、板金部材５６で内部構造ユニット３４を傷付けることが発生しうる。しかし、本実施例では、トップフレキシブル配線板５０と板金部材５６で形成される端面が、表示ユニット２３の背面と当接する当接部３３ｄよりも前面側に位置しているので、このような問題が発生することがない。すなわち、トップフレキシブル配線板５０と板金部材５６で形成される端面と後カバー３１との間隙が当接部３３ｄと後カバー３１との間隙よりも大きくなるように、板金部材５６は上面カバー３３に固定されている。したがって、内部構造ユニット３４をカバーユニット３０に組み込む際に、表示ユニット２３の裏面の領域２３ａを図６の矢印Ｃ方向から組み易く、破損の可能性も低くなっている。
【００１７】
以上、説明したように、シャーシ部材６０に支持されない表示ユニット２３の裏面の領域２３ａを後カバー３１と上面カバー３３との間に形成される空間に滑り込ませて、上面カバー３３の当接部３３ｄで表示ユニット２３の裏面の領域２３ａを支持している。このように構成することで、表示ユニット２３のサイズが大型化したとしても、デジタルカメラ本体のサイズを大型化することがない。そして、表示ユニット２３の裏面の領域２３ａは上面カバー３３の当接部３３ｄで支持されるので表示ユニット２３に外力を与えられたとしても、シャーシ部材６０と上面カバー３３が分担して外力を受ける。したがって、表示ユニット２３を破損することがない。
【００１８】
本発明は以上説明した実施例に限定されることなく、種々の変形や変更が可能である。例えば、上面カバー３３に設けられた当接部３３ｄが爪形状をしていて表示手段２３に当接すると同時に板金部材５６の表示ユニット側を固定してもよい。また、上面カバー３３に設けられた爪部３３ｃが表示手段２３に当接していてもよい。この構成によれば、表示手段２３の当接部と板金部材５６の固定部を兼ねることができるので、省スペース化、外力に対する剛性向上を図ることができる。
【符号の説明】
【００１９】
２３  表示ユニット
３３  上面カバー（外装部材）
３３ｃ  爪部
３３ｄ  当接部
５０  トップフレキシブル配線板
５１  板金部材
６０  シャーシ部材
【図１】
2011033988.tif 000003
【図２】
2011033988.tif 000004
【図３】
2011033988.tif 000005
【図４】
2011033988.tif 000006
【図５】
2011033988.tif 000007
【図６】
2011033988.tif 000008